(57)【要約】【課題】  ブラインドリベットを用いて締結された部材からこのブラインドリベットを簡単に取り外すことができるブラインドリベットの取外し方法、リベットの取外し治具を提供する。【解決手段】  ブラインドリベット３で締結された締結母材１、２からリベット３を取り外すリベット取外し方法において、フランジ３ａ側よりリベット胴部穴３ｂにパンチ５を挿入し、マンドレル４を抜き取り、リベット胴部穴３ｂにスパイラルタップ工具６を使用してネジを切り、フランジ３ａ側の締結母材１に第１及び第２の取外し治具７、８を密着させた状態で保持し、胴部穴３ｂに加工したネジ部と雄ネジ９を使用して第１及び第２の取外し治具７、８を締結母材１に密着させ、第２の取外し治具８を回転しないように固定した状態で、前記第１の取外し治具７のネジ等により進退可能な移動部７ａを移動させることによりリベット胴部３ｃが破断し、リベット３を取り外す。【選択図】  図４
2006061941.tif 000002
【特許請求の範囲】
【請求項１】
中空筒状の第２の取外し治具と、該第２の取外し治具内に軸方向へ進退自在に嵌合すると共に軸方向へ貫通する中心孔を有した第１の取外し治具と、第１の取外し治具の中心孔に一端開口から挿入されるボルトと、を備えたことを特徴とするブラインドリベット取外し装置。
【請求項２】
請求項１に記載のブラインドリベットの取外し装置を用いて、ブラインドリベットにより締結された複数の締結母材から前記ブラインドリベットを取り外すブラインドリベット取外し方法であって、前記ブラインドリベットのフランジ側よりブラインドリベット胴部穴にパンチを挿入して該胴部穴内のマンドレルを抜き取るステップと、前記マンドレルを抜き取った該胴部穴内壁にスパイラルタップ工具を使用して雌ネジ部を切るステップと、前記ブラインドリベットのフランジ側の締結母材に前記第２の取外し治具の先端を密着させた状態で前記取外し治具を保持するステップと、前記ブラインドリベット胴部穴の雌ネジ部に前記ボルトの雄ネジ部を螺合させるステップと、前記第２の取外し治具を回転しないように締結母材に固定した状態で前記第１の取外し治具と前記ボルトを一体的に抜き方向へ直進移動させることにより前記ブラインドリベット胴部を破断させるステップと、から成ることを特徴とするブラインドリベット取外し方法。
【請求項３】
複数の締結母材に設けた孔内にブラインドリベットを挿通しカシメ固定する構造において、締結すべき複数の前記締結母材に形成する各孔のうちの少なくとも一方を円形以外の、長孔、多角形を含む形状に加工することを特徴とするブラインドリベット取付け構造。
【請求項４】
複数の締結母材に設けた孔内にブラインドリベットを挿通しカシメ固定する構造において、締結すべき複数の前記締結母材に形成する各孔の孔中心をずらして加工することを特徴とするブラインドリベット取付け構造。
【請求項５】
複数の締結母材に設けた孔内にブラインドリベットを挿通しカシメ固定する構造において、前記締結母材の一方が金属以外の柔らかい材料の場合、金属材料の孔形状を円形以外の、長孔、多角形を含む形状に加工することを特徴とするブラインドリベット取付け構造。
【発明の詳細な説明】
【技術分野】
【０００１】
本発明は２つの部材間を貫通する取り付け孔内に挿通されてカシメられることにより部材間を固定するブラインドリベットの取外し装置、取外し方法、取付け構造の改良に関するものである。
【背景技術】
【０００２】
従来、取り付け対象物としての２つの部材（締結母材）間を締結する手段として、２つの部材に夫々形成した孔内に挿通されてカシメられることによって部材間を締結固定するブラインドリベットが使用される。締結状態にある２つの部材を分解する場合には、ブラインドリベットの除去が行われるが、この場合、各部材を変形、損傷させることなく、正確な位置で確実にリベットを切断したり、離脱させる分解方法及び分解工具がもとめられている。
このような分解工具として、特許文献１には切断刃によってリベットの胴部からフランジ部を切断する工具が開示されている。特許文献２にはリベット締結に用いられたリベットのフランジ部を切削する際にフランジ部の連れ回りを防止することにより、リベットの取外しを容易化した技術が開示されている。また、特許文献３には、取り付け対象物間を締結した状態にあるリベットのカシメ部を押圧部により破損させると共にリベットを取り付け対象物から突出させて、リベットの頭部と取り付け対象物との間に隙間を形成させることでリベットを取り外すようにした技術が開示されている。
しかし、上記各従来例によるリベットの分解方法及び分解工具、リベットの取外し作業具にあっては、いずれもリベットの片面側のみからの作業でリベットを除去することができず、取り付け対象物の両側からの作業を余儀なくされるという欠点があった。このため、リベットの締結部位の周辺状況によっては取外し作業を実施できないことも多々あった。
片側からの作業を行う場合は、ドリルでリベットの頭を切削して除去するか、砥石やサンダーでリベットの頭を削る、或いはポンチなどで叩き出す方法が取られる。
しかしながら、ドリルを用いてリベットのカシメ部に広い穴を開ける方法は、ドリルの先端がリベットの中空部分に食い込んでリベットがドリルと一緒に回転してしまい、リベットの取外しが困難となることがあり、取外しに成功したとしても締結母材まで食い込み、傷をつけてしまうことが有る。また、削り屑が筐体内に落下して不具合をもたらすこともある。
また、砥石やサンダーでリベットの頭を削る方法も、締結母材までも一緒に削ってしまうという問題があるとともに、リベットを別のポンチで打ち込んで抜き取る必要があり、手間がかかるという問題もある。また、同時に切り屑発生の問題もある。
また、ドリルを使ったり、ポンチを打つ等の作業は、締結母材の歪みを生じたり、振動・衝撃により搭載している他のユニットへの影響もあり、使用できない場合も有る。
【特許文献１】特開２０００−２１０７５０公報
【特許文献２】特開２０００−３２０５０９公報
【特許文献３】実用新案登録第３０６８０１１号
【発明の開示】
【発明が解決しようとする課題】
【０００３】
そこで、本発明の第１の目的は、上述した実情を考慮して、ブラインドリベットを用いて締結された部材からこのブラインドリベットを簡単に取り外すことができるブラインドリベットの取外し方法、リベットの取外し装置を提供することにある。
本発明の第２の目的は、締結母材の変形、使用箇所の制約、切り粉の筐体内部への落下なしに、ブラインドリベットにて締結された締結母材から、ブラインドリベットの取外しが可能なリベットの取外し方法を提供することにある。
本発明の第３の目的は、締結母材の穴を異なった形状、締結母材の穴の中心軸をずらすことにより、あるいは締結母材の一方がブラインドリベット胴部より軟らかい場合でも、ブラインドリベット胴部へのネジ加工時にリベットが回転してしまうことを防止できるブラインドリベットの母材への取付け構造を提供することにある。
本発明の第４の目的は、締結母材を変形・損傷することなく、リベット取り付け面の一方向から確実に切断できるリベットの分解方法、工具及びリベット締結母材の加工方法を提供することにある。
【課題を解決するための手段】
【０００４】
上記の課題を解決するために、請求項１に記載のブラインドリベットの取外し装置は、中空筒状の第２の取外し治具と、該第２の取外し治具内に軸方向へ進退自在に嵌合すると共に軸方向へ貫通する中心孔を有した第１の取外し治具と、第１の取外し治具の中心孔に一端開口から挿入されるボルトと、を備えたことを特徴とする。
請求項２に記載のブラインドリベット取外し方法は、請求項１に記載のブラインドリベットの取外し装置を用いて、ブラインドリベットにより締結された複数の締結母材から前記ブラインドリベットを取り外すブラインドリベット取外し方法であって、前記ブラインドリベットのフランジ側よりブラインドリベット胴部穴にパンチを挿入して該胴部穴内のマンドレルを抜き取るステップと、前記マンドレルを抜き取った該胴部穴内壁にスパイラルタップ工具を使用して雌ネジ部を切るステップと、前記ブラインドリベットのフランジ側の締結母材に前記第２の取外し治具の先端を密着させた状態で前記取外し治具を保持するステップと、前記ブラインドリベット胴部穴の雌ネジ部に前記ボルトの雄ネジ部を螺合させるステップと、前記第２の取外し治具を回転しないように締結母材に固定した状態で前記第１の取外し治具と前記ボルトを一体的に抜き方向へ直進移動させることにより前記ブラインドリベット胴部を破断させるステップと、から成ることを特徴とする。
請求項３の発明に係るブラインドリベット取付け構造によれば、複数の締結母材に設けた孔内にブラインドリベットを挿通しカシメ固定する構造において、締結すべき複数の前記締結母材に形成する各孔のうちの少なくとも一方を円形以外の、長孔、多角形を含む形状に加工することを特徴とする。
請求項４の発明に係るブラインドリベット取付け構造によれば、複数の締結母材に設けた孔内にブラインドリベットを挿通しカシメ固定する構造において、締結すべき複数の前記締結母材に形成する各孔の孔中心をずらして加工することを特徴とする。
請求項５の発明に係るブラインドリベット取付け構造によれば、複数の締結母材に設けた孔内にブラインドリベットを挿通しカシメ固定する構造において、前記締結母材の一方が金属以外の柔らかい材料の場合、金属材料の孔形状を円形以外の、長孔、多角形を含む形状に加工することを特徴とする。
【発明の効果】
【０００５】
本発明によれば、従来のドリルや食い切りによる取外し作業と異なり、締結母材と工具が直接接触することがないため、締結母材の損傷がない。また、ブラインドリベットフランジ側からの作業のみでブラインドリベットの取外しが可能なため、ブラインドリベットカシメ側の筐体形状の制約を受けない。
また、市販のスパイラルタップ工具を使用し、ネジ加工時の切り粉を工具側に排出するため、ドリルを使用したときのような筐体内部への切り粉の落下が発生しない。
工程を分割し締結母材に大きな力が掛からないため、締結母材の変形がなく、さらに、取外し作業時に締結母材の受け等を必要としないため、取外し方向の制約を受けない。
【発明を実施するための最良の形態】
【０００６】
以下、図面を参照して、本発明の実施の形態を詳細に説明する。図１はブラインドリベット取外し方法におけるブラインドリベット、マンドレル及びパンチを説明する概略断面図である。
図１には締結母材１、２に設けた貫通穴に挿入されて両締結母材を締め付けているブラインドリベット３、ブラインドリベット３の胴部穴内に嵌合固定されたマンドレル４、及びマンドレル４を打ち抜くためのパンチ５が示してある。
図２はパンチを挿入してマンドレルを抜き取った状態を示す概略断面図である。図３はブラインドリベット胴部穴にスパイラルタップ工具を挿入した状態を示す概略断面図である。
ボルト９、第１及び第２の取外し治具７及び８は、後述する図１０に示すような概略形状を有している。第１の取外し治具７は、移動部７ａと、移動部７ａの端部に一体化された大径の雄ネジ固定部７ｂを有する。第２の取外し治具８は対向する２つの側面に面取り部を有した中空の略円筒体であり、その一端面には締結母材１と密着する密着部８ａが設けてある。
図２では、図１に示すブラインドリベット３のフランジ側３ａよりブラインドリベット胴部穴３ｂにパンチ５を挿入し、マンドレル４を抜き取る。マンドレル４を抜き取ったブラインドリベット胴部穴３ｂにスパイラルタップ工具６を挿入して内壁にネジを切る（図３）。
【０００７】
図４は取外し装置Ａを説明する概略縦断面図と平面図である。図５は図４と同じ取外し装置Ａを有する、ブラインドリベット胴部が破断した状態を示す概略断面図である。取外し装置Ａは、第１及び第２の取外し治具７、８から構成されている。
取外し装置Ａは、中空筒状の第２の取外し治具８と、第２の取外し治具内に軸方向へ進退自在に嵌合すると共に軸方向へ貫通する中心孔を有した第１の取外し治具７と、第１の取外し治具の中心孔に一端開口から挿入されるボルト９と、を備えている。
図４及び図５において、第１の取外し治具７は、その移動部７ａを第２の取外し治具８の中心穴内に嵌合させた状態にあり、第１の取外し治部７は、第２の取外し治具８によって軸方向へ直線的に進退可能に支持されている。
この状態で、ブラインドリベット３のフランジ側３ａの締結母材１に、略円筒状の第２の外し治具８の先端縁の密着部８ａを密着させる。
ボルト９を、第１の取外し治具７を軸方向に貫通する中心孔内に回転自在に嵌合させ、雄ネジの雄ネジ部を、締結母材、２に支持されたブラインドリベットの胴部３ｃの内壁の雌ねじ部の適所（上半分）に螺合させる。
ブラインドリベット胴部穴３ｂに加工した雌ネジ部の上半分（フランジ部３ａを含む）に螺合させたボルト９、及び第２の取外し治具７の雄ネジ固定部７ｂを使用して、第２の取外し治具８の先端を締結母材１の上面に密着させる。第２の取外し治具８をスパナ等の工具にて回転しないように固定した状態で、他の工具を用いて第１の取外し治具７を軸方向上側へ直線的に移動させることにより、ボルト９の雄ネジ部と螺合した胴部３ｃの上半分が下半部から分離されて破断し、ブラインドリベット３の取外しが可能となる。
即ち、本発明のブラインドリベットの取外し方法は、ブラインドリベット３により締結された複数の締結母材１、２からブラインドリベットを取り外すブラインドリベット取外し方法であって、ブラインドリベットのフランジ３ａ側よりブラインドリベット胴部穴３ｂにパンチ５を挿入して該胴部穴内のマンドレル４を抜き取るステップと、マンドレルを抜き取った該胴部穴内壁にスパイラルタップ工具６を使用して雌ネジ部を切るステップと、ブラインドリベットのフランジ側の締結母材１に第２の取外し治具８の先端を密着させた状態で取外し治具を保持するステップと、ブラインドリベット胴部穴３ｂの雌ネジ部にボルト９の雄ネジ部を螺合させるステップと、第２の取外し治具８を回転しないように締結母材１に固定した状態で第１の取外し治具７と前記ボルト９を一体的に抜き方向へ直進移動させることによりブラインドリベット胴部を破断させるステップと、から成る。
【０００８】
本発明によれば、従来のドリルや食い切りによる取外し作業と異なり、締結母材と工具が直接接触することがないため、締結母材の損傷がない。
また、一方向からの作業で、締結部材（ブラインドリベット）３へのタップ立て、取外し冶具のセット、取外し作業が実施でき、作業空間も少なくて済む。つまり、ブラインドリベットのフランジ側からの作業のみでブラインドリベットの取外しが可能なため、ブラインドリベットカシメ側の筐体形状の制約を受けない。従って、締結母材の他方側に障害物等がある場合であっても問題なく取外し作業を行うことができる。即ち、取外し作業時に締結母材の受け等を必要としないため、取外し方向の制約を受けない。
また、締結部材（ブラインドリベット）３の胴部軸方向に沿って直線的に引っ張られることによって、締結部材３の胴部３ｃとフランジ部３ａとが切断される。従って、締結部材３の分解時にこの締結部材３が空回りしたり、この空回りなどにより締結母材１が損傷したりすることがなく、締結母材１に余分な衝撃や振動を加えることも無い。
また、市販のスパイラルタップ工具を使用し、ネジ加工時の切り粉を工具側に排出するため、ドリルを使用したときのような筐体内部への切り粉の落下が発生しない。
【０００９】
図６は本発明によるブラインドリベットを使用しているリベット締結製品を示す概略斜視図である。図７は物品へのブラインドリベットの取り付け状態を示す概略斜視図である。
図６では、構造体に取り付けた締結部材（ブラインドリベット）３のフランジ部３ａを単に示し、そして図７では締結母材１、２を締め付けているブラインドリベット３を示している。
図８は締結母材と本発明による締結部材取外し治具の部品構成を説明する斜視図である。図９は図８による締結部材取外し治具の部品を示す断面図である。図１０は図８及び図９における各部品を平面図及び断面図で示す図である。
本発明においては、締結部材取外しに必要とする工具は、図８に示す冶具のほかは、汎用の工具、部品のみである。図８ないし図１０において、締結母材１、２を締め付けているブラインドリベット３が示され、ボルト９により進退可能な第１取外し治具７が締結母材１と密着した第２の外し治具８とともに保持された状態で示されている。
【００１０】
図１１は回転防止カシメ構造の第１の実施の形態を締結母材の平面図とともに示す概略断面図である。図１２は回転防止カシメ構造の第２の実施の形態を締結母材の平面図とともに示す概略断面図である。図１３は回転防止カシメ構造の第３の実施の形態を締結母材の平面図とともに示す概略断面図である。図１４は回転防止カシメ構造の第４の実施の形態を締結母材の平面図とともに示す概略断面図である。
図１１ないし図１４の回転防止カシメ構造によれば、締結部材（ブラインドリベット）３にタップを立てるときに締結部材３が空回りしたり、この空回りなどにより締結母材１、２が損傷したりすることがなく、容易にタップを立てることができる。
締結母材１、２の何れか一方の穴形状を円形状ではなく長丸・多角形等の異なる形状にし、カシメ時ブラインドリベット胴部３ｃに異形穴形状を転写させることにより、ネジ加工時の切削抵抗によりブラインドリベット３が回転するのを防止することができる。タップ工具６によるブラインドリベット３へのネジ加工時、ブラインドリベット３が回転しないため、締結母材１、２の損傷がない。
締結母材１、２の何れか一方の穴の中心軸をずらすことにより、カシメ時ブラインドリベット胴部３ｃにブラインドリベット胴部穴３ｂ中心軸に対し非対称部分を作ることにより、タップ工具６によるネジ加工時の切削抵抗によりブラインドリベット３が回転するのを防止する。
締結母材１、２の一方が金属以外の場合も含め、ブラインドリベット胴部３ｃより軟らかい場合、軟らかい締結母材をブラインドリベットフランジ３ａ側にし、上述した長孔、円形穴、一方の穴の中心をずらす等の工夫をブラインドリベットカシメ側の締結母材に適用することにより、ネジ加工時の切削抵抗によりブラインドリベット３が回転するのを防止する。
ブラインドリベット３へのネジ加工時、ブラインドリベット３が回転しないため、締結母材１、２の損傷がない。また、軟らかい締結母材をブラインドリベットフランジ３ａ側にすることによりカシメ時のブラインドリベット胴部３ｃの衝撃による締結母材１、２の損傷がないため、取外し後の締結母材の再利用が可能である。
【図面の簡単な説明】
【００１１】
【図１】ブラインドリベット取外し方法におけるブラインドリベット、マンドレル及びパンチを説明する概略断面図である。
【図２】パンチを挿入してマンドレルを抜き取った状態を示す概略断面図である。
【図３】ブラインドリベット胴部穴にスパイラルタップ工具を挿入した状態を示す概略断面図である。
【図４】ボルトの上面図とともに取外し治具を説明する概略断面図である。
【図５】図４と同じ取外し治具を有する、ブラインドリベット胴部が破断した状態を示す概略断面図である。
【図６】本発明によるブラインドリベットを使用しているリベット締結製品を示す概略斜視図である。
【図７】締結母材へのブラインドリベットの取り付け状態を示す概略斜視図である。
【図８】締結母材と本発明による締結部材取外し装置の構成部品構成を説明する斜視図である。
【図９】図８による締結部材取外し装置の構成部品を分解して示す断面図である。
【図１０】図８及び図９における各部品を平面図及び断面図で示す図である。
【図１１】回転防止カシメ構造の第１の実施の形態を締結母材の平面図とともに示す概略断面図である。
【図１２】回転防止カシメ構造の第２の実施の形態を締結母材の平面図とともに示す概略断面図である。
【図１３】回転防止カシメ構造の第３の実施の形態を締結母材の平面図とともに示す概略断面図である。
【図１４】回転防止カシメ構造の第４の実施の形態を締結母材の平面図とともに示す概略断面図である。
【符号の説明】
【００１２】
Ａ  取外し装置、１  締結母材（ブラインドリベットフランジ側）、２  締結母材（ブラインドリベットカシメ側）、３  締結部材（ブラインドリベット）、３ａ  ブラインドリベットフランジ部、３ｂ  ブラインドリベット胴部穴、３ｃ  ブラインドリベット胴部、４  マンドレル、５  パンチ、６  スパイラルタップ工具、７  第１の取外し治具、７ａ  第１の取外し治具移動部、７ｂ  第１の取外し治具雄ネジ固定部、８  第２の取外し治具、８ａ  第２の取外し治具の締結母材との密着部、９  ボルト
【図１】
2006061941.tif 000003
【図２】
2006061941.tif 000004
【図３】
2006061941.tif 000005
【図４】
2006061941.tif 000006
【図５】
2006061941.tif 000007
【図６】
2006061941.tif 000008
【図７】
2006061941.tif 000009
【図８】
2006061941.tif 000010
【図９】
2006061941.tif 000011
【図１０】
2006061941.tif 000012
【図１１】
2006061941.tif 000013
【図１２】
2006061941.tif 000014
【図１３】
2006061941.tif 000015
【図１４】
2006061941.tif 000016